(57)【要約】【課題】階層構造に設定された属性値に関する計算を実行可能な支援システムを提供する。【解決手段】実施形態に係る支援システムは、編集部と、抽出部と、算出部と、を備える。前記編集部は、要件と、前記要件を満たすための手段と、を含む複数の項目を互いに従属させて階層構造として編集可能な第１編集領域を表示させる。前記手段には、属性及び前記属性に関する属性値を設定可能である。前記抽出部は、前記階層構造において、最上位の前記要件を満たすための前記手段の組を計画として抽出する。前記算出部は、抽出された少なくとも１つの前記計画における前記属性値の合計を算出する。【選択図】図１
2019149019.tif 000002
【特許請求の範囲】
【請求項１】
要件と、前記要件を満たすための手段と、を含む複数の項目を互いに従属させて階層構造として編集可能な第１編集領域を表示させる編集部であって、前記手段には、属性及び前記属性に関する属性値を設定可能である、前記編集部と、
前記階層構造において、最上位の前記要件を満たすための前記手段の組を計画として抽出する抽出部と、
抽出された少なくとも１つの前記計画における前記属性値の合計を算出する算出部と、
を備えた支援システム。
【請求項２】
前記少なくとも１つの計画における前記属性値の合計を出力する出力部をさらに備えた請求項１記載の支援システム。
【請求項３】
前記第１編集領域において、前記要件には、重みを設定可能であり、
前記算出部は、前記計画に従属関係にある複数の前記要件が含まれる場合、上位の前記要件に設定された重みと、下位の前記要件に設定された重みと、の積を前記下位の要件の重みとして算出する請求項２記載の支援システム。
【請求項４】
前記出力部は、前記少なくとも１つの計画について、さらに、前記要件の重みと、前記要件を満たすための前記手段の前記属性値と、を対応させて出力する請求項３記載の支援システム。
【請求項５】
前記複数の項目は、対象を含み、
前記第１編集領域において、前記要件及び前記手段は、前記対象に従属して配置され、前記対象には、目標属性及び目標属性値をさらに従属させて設定可能であり、
前記出力部は、前記少なくとも１つの計画における前記属性及び前記属性値の合計と、当該属性に対応する前記目標属性及び前記目標属性値を抽出し、前記属性値の合計と前記目標属性値とを対応させて出力する請求項２〜４のいずれか１つに記載の支援システム。
【請求項６】
前記第１編集領域において、前記手段には採用情報を設定可能であり、
前記算出部は、前記採用情報が設定された前記手段を含む前記計画について、前記属性値の合計を算出する請求項１〜５のいずれか１つに記載の支援システム。
【請求項７】
１つの前記項目に、前記第１項目及び前記第２項目が従属している場合に、使用者に通知を発する通知部をさらに備えた請求項１〜６のいずれか１つに記載の支援システム。
【請求項８】
前記通知部は、さらに、前記階層構造において、末端が前記要件である場合に、使用者に通知を発する請求項７記載の支援システム。
【請求項９】
前記編集部は、前記第１編集領域とは異なる第２編集領域を表示可能であり、
前記第２編集領域において、前記複数の項目から前記手段が抽出して表示され、前記手段同士の間の前記属性値に関する相互作用を設定可能である請求項１〜８のいずれか１つに記載の支援システム。
【発明の詳細な説明】
【技術分野】
【０００１】
本発明の実施形態は、支援システムに関する。
【背景技術】
【０００２】
知識を体系化して共有するためには、知識に関する項目を階層構造で表現することが好ましい。この階層構造を、さらに有用なものとするために、設定された属性及び属性値に関する計算を自動で実行可能な支援システムの開発が求められていた。
【先行技術文献】
【非特許文献】
【０００３】
【非特許文献１】中沢俊彦：設計プロセスのモデリングと可視化、設計工学、４２巻、４号（２００７）
【発明の概要】
【発明が解決しようとする課題】
【０００４】
本発明が解決しようとする課題は、階層構造に設定された属性値に関する計算を実行可能な支援システムを提供することである。
【課題を解決するための手段】
【０００５】
実施形態に係る支援システムは、編集部と、抽出部と、算出部と、を備える。前記編集部は、要件と、前記要件を満たすための手段と、を含む複数の項目を互いに従属させて階層構造として編集可能な第１編集領域を表示させる。前記手段には、属性及び前記属性に関する属性値を設定可能である。前記抽出部は、前記階層構造において、最上位の前記要件を満たすための前記手段の組を計画として抽出する。前記算出部は、抽出された少なくとも１つの前記計画における前記属性値の合計を算出する。
【図面の簡単な説明】
【０００６】
【図１】実施形態に係る支援システムの構成を表すブロック図である。
【図２】実施形態に係る支援システムにおけるＧＵＩを例示する模式図である。
【図３】実施形態に係る支援システムにおけるＧＵＩを例示する模式図である。
【図４】実施形態に係る支援システムにおけるＧＵＩを例示する模式図である。
【図５】実施形態に係る支援システムにおけるＧＵＩを例示する模式図である。
【図６】実施形態に係る支援システム１の動作を表すフローチャートである。
【図７】実施形態に係る支援システムにおけるＧＵＩを例示する模式図である。
【図８】実施形態に係る支援システムにおけるＧＵＩを例示する模式図である。
【図９】実施形態に係る支援システムにおけるＧＵＩを例示する模式図である。
【図１０】実施形態に係る支援システムを実現するための支援装置の構成を例示するブロック図である。
【発明を実施するための形態】
【０００７】
以下に、本発明の各実施形態について図面を参照しつつ説明する。
本願明細書と各図において、既に説明したものと同様の要素には同一の符号を付して詳細な説明は適宜省略する。
【０００８】
図１は、実施形態に係る支援システムの構成を表すブロック図である。
図２〜図５は、実施形態に係る支援システムにおけるＧＵＩを例示する模式図である。
【０００９】
実施形態に係る支援システム１は、例えば、知識の親子関係や相互作用を視覚化し、効率的に編集するために用いられる。知識は、手段及び要件を含む複数の項目で表される。
【００１０】
実施形態に係る支援システム１は、図１に表したように、編集部１０、抽出部２０、算出部３０、及び通知部４０を備える。この例では、支援システム１は、入力部５０及び出力部６０をさらに備える。
【００１１】
編集部１０は、情報を視覚化し、編集するためのグラフィカルユーザインタフェース（ＧＵＩ）をディスプレイに表示させる。ＧＵＩでは、図２に表したように、第１編集領域１００が表示される。入力部５０は、支援システム１への入力操作を受け付ける。支援システム１の使用者は、入力部５０を用いて、第１編集領域１００上で知識に関する階層構造の作成及び編集を行う。
【００１２】
図２に表したように、第１編集領域１００では、使用者は、要件１０１と、手段１０２と、を互いに従属させて階層構造の作成及び編集を行う。具体的には、階層構造の最上位（根）には、対象１０３が設定される。対象１０３は、知識を整理する対象となる技術や製品などである。対象１０３の子には、要件１０１が設定される。その要件１０１よりも下位には、別の要件１０１及び手段１０２が互いに従属して配置される。要件１０１は、手段１０２及び対象１０３を実現するために必要な機能や条件、課題を表す。手段１０２は、要件１０１を満たすために採りうる方法を表す。
【００１３】
手段１０２には、その手段１０２を実現するために満たされるべき要件１０１が従属する。または、手段１０２には、その手段１０２を細分化した少なくとも１つの別の手段１０２が従属しても良い。
【００１４】
要件１０１には、その要件１０１を満たすための少なくとも１つの手段１０２が従属する。または、要件１０１には、その要件１０１を細分化した少なくとも１つの別の要件１０１が従属しても良い。
【００１５】
編集された階層構造は、最上位の要件１０１を満たすための、少なくとも１つの計画を含む。最上位の要件１０１とは、階層構造に含まれる少なくとも１つの要件１０１のうち、最も上位に位置するものを指す。例えば、最上位の要件１０１は、階層構造の最上位（根）に位置する対象１０３の子として設定された要件１０１である。計画は、少なくとも１つの手段を含む。抽出部２０は、編集された階層構造から、計画を抽出する。対象１０３の子として複数の要件１０１が設定される場合は、それらの最上位の複数の要件１０１を満たすための手段１０２の組み合わせが、計画として抽出される。階層構造において、１つの項目に複数の手段１０２が従属している場合、それは、複数の計画が存在することを表す。
【００１６】
例えば、抽出部２０は、まず、編集された階層構造において、最上位の要件１０１を抽出する。続いて、抽出部２０は、その要件１０１を根とする部分木に含まれる項目を走査し、そこに含まれる少なくとも１つの手段１０２を、計画として抽出する。ある項目に複数の要件１０１が従属する場合は、それらの要件１０１にそれぞれ従属する複数の手段１０２を計画に含める。ある項目に複数の手段１０２が従属する場合は、それらの手段１０２の組み合わせごとに計画を生成する。最上位の要件１０１が複数存在する場合は、それぞれの要件１０１について、末端までの少なくとも１つの手段１０２を抽出し、それらの手段１０２の組み合わせを計画として抽出する。
【００１７】
図２に表した例では、対象１０３を実現するために必要な２つの要件１０１ａ及び１０１ｂが設定されている。要件１０１ｂには、１つの手段１０２ｃが従属している。一方、要件１０１ａには、手段１０２ａ及び手段１０２ｂが従属している。これは、手段１０２ａ及び手段１０２ｃを含む計画と、手段１０２ｂ及び手段１０２ｃを含む計画と、手段１０２ａ、手段１０２ｂ、及び手段１０２ｃを含む計画と、の３つの計画が存在することを意味する。
【００１８】
手段１０２には、属性Ａ１と、その属性Ａ１に関する属性値Ａ２と、を設定できる。例えば、対象１０３として、設計・開発対象の製品が設定される場合、属性Ａ１としては、コスト、時間（リードタイム）、寸法、寿命、性能などが設定される。より詳細な知識の整理を行いたい場合には、より具体的なコストとして、例えば、材料費、加工費、輸送費などが設定されても良い。より具体的な時間としては、例えば、上市の時期、手配から納入までの時間、開発工数、生産工数などが設定されても良い。あるいは、顧客価値を指標とする場合には、属性Ａ１として、顧客との面会回数、面会の頻度、会話内容の深さなどが設定されても良い。属性Ａ１に設定される内容は、階層構造を作成する目的に応じて、適宜変更可能である。属性値Ａ２は、それらの属性Ａ１に関する具体的な数値である。
【００１９】
ある手段１０２の下位に、別の複数の手段１０２が設定されている場合、上位の手段１０２の属性値は、下位の複数の手段１０２の属性値の合計となる。例えば、手段１０２ａの属性値は、手段１０２ｄの属性値と、手段１０２ｅの属性値と、の合計となる。この合計値は、使用者により手動で入力されても良いし、支援システム１により自動で計算されて入力されても良い。
【００２０】
また、要件１０１には、重みＢを設定できる。重みは、その要件の重要性や優先度を表す指標である。例えば、その要件１０１が重要であるほど、重みは大きく設定される。重みは、例えば、同じ項目に従属する兄弟の要件１０１の重みの合計が１．０（１００％）になるように、設定される。または、重みの合計に対する、それぞれの要件１０１に設定された重みの割合を、その要件１０１の重みとしても良い。
【００２１】
ある要件１０１の下位に別の複数の要件１０１が設定されている場合、上位の要件１０１の重みと、下位のそれぞれの要件１０１の重みと、の積が、下位のそれぞれの要件１０１の実質的な重みとなる。例えば、要件１０１ｃの実質的な重みは、要件１０１ａの重み０．７と、要件１０１ｃの重み０．６と、の積である０．４２となる。
【００２２】
算出部３０は、抽出部２０によって抽出された計画について、属性とその属性値とを抽出し、属性ごとに属性値の合計を算出する。また、算出部３０は、当該計画について、それぞれの要件の実質的な重みを算出する。図２の例では、少なくともいずれかの計画について、コストの合計と、各要件の実質的な重みと、が算出部３０により算出される。
【００２３】
属性値については、手段１０２ｃのように、ある属性について、最小の属性値、標準の属性値、及び最大の属性値を設定できる。この場合、算出部３０は、ある計画について、最小の属性値の合計、標準の属性値の合計、及び最大の属性値の合計を算出する。
【００２４】
また、手段１０２には、採用情報を付与することができる。上述した通り、ある項目に複数の手段１０２が従属していると、計画は複数に分岐する。階層構造が深くなるほど、計画の分岐も増えて行き、計画の数は膨大になる。そこで、使用者は、編集した階層構造において、採用する対象、または採用の候補である手段１０２に、採用情報を付与できる。使用者は、例えば、複数種類の採用情報を付与できる。
【００２５】
図２に表した例では、手段１０２ａ及び１０２ｂの上に、それぞれ、採用情報を示す数値Ｃ１及びＣ２が付されている。同じ数値が付された手段１０２は、共通の１つの計画に採用されることを示す。例えば、採用情報が付与された手段１０２が存在する場合、算出部３０は、その手段１０２を含む計画についてのみ、属性値の合計の算出、重みの計算等を行う。
【００２６】
出力部６０は、算出部３０による算出結果を、例えばＧＵＩ上に出力する。図３は、図２とは別の階層構造に関する算出結果を例示する。出力部６０は、例えば図３（ａ）に表したように、それぞれの属性について、最小の属性値の合計、標準の属性値の合計、及び最大の属性値の合計を、計画ごとに可視化して表示する。
【００２７】
また、出力部６０は、図３（ｂ）に表したように、各要件１０１の実質的な重みと、各要件１０１を充足させる手段１０２の属性値の合計と、を計画ごとに出力しても良い。例えば、出力部６０は、重みが小さい順に、要件１０１を並べる。これにより、使用者は、属性値が設定された重みに見合っているかを容易に把握できる。
【００２８】
第１編集領域１００において、図４（ａ）に表したように、対象１０３にさらに目標１０４が従属していても良い。目標１０４には、目標の属性を表す目標属性Ｄ１と、目標属性Ｄ１に関する目標属性値Ｄ２と、が従属する。目標属性は、例えば、手段１０２に設定されたいずれかの属性に対応する。この場合、出力部６０は、例えば図４（ｂ）に表したように、計画ごとに算出された属性値の合計と、目標属性値と、を対比させて表示しても良い。または、算出部３０は、それぞれの計画について、図３（ｂ）に表した算出結果に加えて、目標属性値とそれぞれの要件１０１の実質的な重みとの積を、それぞれの要件１０１に対応させて表示しても良い。目標属性値と要件１０１の実質的な重みとの積は、それぞれの要件１０１について、目標となる属性値を表す。図５に表した例では、目標となる属性値が、「目標コスト」として表示されている。これにより、要件１０１ごとに達成が求められる属性値が明確となる。
【００２９】
第１編集領域１００においては、１つの要件１０１又は１つの手段１０２に、要件１０１と手段１０２の両方が従属する状態は、許容されない。通知部４０は、１つの項目に要件１０１と手段１０２の両方が従属している場合、そのことを使用者に通知する。
【００３０】
例えば、通知部４０は、ある項目に新たな要件１０１及び手段１０２の一方が従属された際に、兄弟となる項目に要件１０１及び手段１０２の他方が従属していないか判定する。１つの項目に要件１０１と手段１０２の両方が従属する場合、通知部４０は、第１編集領域１００上で、使用者に警告文を表示させる。例えば、算出部３０は、このような許容されない状態が解消されるまで、属性値及び重みに関する計算を行わない。
【００３１】
また、編集された階層構造において、末端（葉）の項目は、典型的には手段１０２である。末端が要件１０１であると、その要件１０１を満たすための手段が存在しないことを意味するためである。例えば、通知部４０は、この場合も使用者に通知を発する。ただし、要件１０１を満たすための現実的な手段１０２が存在しない場合は、末端が要件１０１となる。従って、末端が要件１０１である場合、算出部３０は、属性値及び重みに関する計算を行っても良い。
【００３２】
図６は、実施形態に係る支援システム１の動作を表すフローチャートである。
まず、編集部１０により第１編集領域１００が表示され、第１編集領域１００における編集操作を受け付ける（ステップＳ１）。通知部４０は、編集中に、不適切な項目の配置が発生した場合、使用者に通知する（ステップＳ２及びＳ３）。例えば、通知部４０は、上述したように、ある項目に要件１０１及び手段１０２が従属している場合、項目の配置が不適切であることを使用者に通知する。ステップＳ１及びＳ２は、編集の終了を示す操作が入力されるまで繰り返される（ステップＳ４）。第１編集領域１００において対象１０３に関する階層構造が作成されると、抽出部２０により、その階層構造から計画が抽出される（ステップＳ５）。算出部３０は、抽出された計画から、属性及び属性値を抽出し（ステップＳ６）、属性ごとに属性値の合計を算出する（ステップＳ７）。出力部６０は、算出された属性値の合計を出力する（ステップＳ８）。ステップＳ８において、作成された階層構造に目標属性及び目標属性値が含まれている場合、出力部６０は、さらに、目標属性値を属性値の合計と適宜対応させて出力しても良い。
【００３３】
図７〜図９は、実施形態に係る支援システムにおけるＧＵＩを例示する模式図である。  図７〜図９では、実施形態に係る支援システム１を用いて、ドライヤーに関する知識の階層構造を作成した場合を例示している。
【００３４】
図７に表した例では、属性として、コストと開発ＬＴ（リードタイム）が設定されている。要件１０１及び手段１０２の名称は、適宜変更することができる。この例では、採用情報を示す数値Ｃ１及びＣ２に加えて、採用情報を示す他の数値Ｃ３及びＣ９が付されている。また、この例では、要件１０１と、手段１０２と、を容易に区別できるように、要件１０１を示すマークＥ１と、手段１０２を示すマークＥ２と、が付されている。
【００３５】
図７に表したように、要件１０１と手段１０２との間の従属関係が表現されていれば、各項目の位置や、項目同士の間隔などは任意である。また、属性及び属性値が設定されていない手段１０２が存在していても良い。
【００３６】
編集部１０による上述した編集機能は、例えば、マインドマップ（登録商標）を実践するためのソフトウェアを利用することができる。このようなソフトウェアとして、例えば、ＦｒｅｅＭｉｎｄまたはＸＭｉｎｄなどを用いることができる。また、第１編集領域１００において、要件１０１を表す項目及び手段１０２を表す項目には、それぞれ、要件及び手段であることを示す情報が付される。これらの情報に基づき、支援システム１では、抽出部２０が計画を抽出し、算出部３０がその計画に含まれる要件１０１及び手段１０２について、属性値の合計や実質的な重みを算出する。
【００３７】
編集部１０は、第１編集領域１００とは別に、第２編集領域２００をさらに表示させることが可能である。図８及び図９は、第２編集領域２００を例示している。第２編集領域２００は、例えば、図８に表したように、領域２１０、領域２２０、及び領域２３０を含む。
【００３８】
領域２１０では、第１編集領域１００で編集された要件及び手段が、ツリー項目として表示される。領域２２０では、最上位の対象から、領域２１０で選択された項目までの経路が表示される。領域２３０では、例えば、手段が選択されている場合、その手段の属性及び属性値が表示される。
【００３９】
第２編集領域２００では、さらに、ある計画に含まれる手段同士の間の相互作用を設定できる。図９は、第２編集領域２００の別の画面を例示している。第２編集領域２００では、さらに、領域２４０及び領域２５０を表示可能である。
【００４０】
領域２４０には、手段同士の間の相互作用マトリクスが表示される。領域２５０には、相互作用を設定するための１つ以上の項目が表示される。例えば、ある手段同士が、相互に良い影響を及ぼし合う場合は、少なくともいずれかの属性が向上する。ある手段同士が、相互に悪影響を及ぼし合う場合は、少なくともいずれかの属性が低下する。図９に例示した第２編集領域２００では、領域２５０に表示された項目を設定することで、手段同士の相互関係を設定できる。
【００４１】
例えば、図９の例では、領域２５０に、項目２５１、項目２５２、及び項目２５３が表示されている。項目２５１は、ある手段と別の手段が、互いに独立して自由に組み合わせられるかを示す。項目２５２は、コストに関する相互作用を示す。項目２５３は、時間に関する相互作用を示す。初期設定では、これらは、相互に作用しないように設定されている。図６の例では、領域２４０において、「＋」の表記は、初期設定であることを示し、「Ｒ」の表記は、相互作用が設定されていることを示す。算出部３０は、設定された相互作用に基づいて、それらの手段を含む計画について、属性値の合計を算出し直す。
【００４２】
また、相互作用マトリクスに関して、算出部３０は、設定された相互作用に基づいて未設定の相互作用を算出可能である場合、その未設定の相互作用を算出する。例えば、図６に表した例において、手段２４１と手段２４２との相互作用が設定され、手段２４２と手段２４３との相互作用が設定されると、それらの設定に基づき、手段２４１と手段２４３との相互作用を導出できる。算出部３０は、算出した相互作用を、相互作用マトリクスに反映させる。これにより、使用者は、相互作用マトリクスの全てを手動で設定する必要が無く、相互作用マトリクスの作成が容易となる。
【００４３】
実施形態の効果を説明する。
実施形態に係る支援システム１によれば、編集部１０により第１編集領域１００が表示される。この第１編集領域１００では、要件１０１と手段１０２を互いに従属させながら、対象１０３に関する知識の階層構造を編集できる。要件１０１と手段１０２が１つの階層構造に混在することで、１つの階層構造において、対象を実現するための少なくとも１つの計画が策定されていく。
例えば、典型的には、要件と手段は、異なる階層構造で表現される。しかし、この場合、それぞれの階層構造を作成した後に、それらの階層構造から要件と手段を適宜選択し、計画を策定していく必要が生じる。実施形態に係る支援システム１を用いることで、このような計画の策定の手間が省略される。
さらに、支援システム１は、編集された階層構造から計画を抽出する抽出部２０を備える。これにより、要件１０１と手段１０２が混在する階層構造から、容易且つ適切に計画を抽出することができる。そして、算出部３０によりその計画に関する属性値が自動で算出される。このため、策定された計画ごとの属性値の把握や、計画間の属性値の比較が容易に行える。
【００４４】
また、支援システム１では、第１編集領域１００において、要件１０１に重みを設定できる。重みが設定されることで、それぞれの要件１０１がどの程度重要かを可視化できる。さらに、算出部３０は、ある要件１０１の下位に別の複数の要件１０１が設定されている場合、上位の要件１０１の重みと、下位のそれぞれの要件１０１の重みと、の積を、下位のそれぞれの要件１０１の実質的な重みとする。この実質的な重みは、階層構造全体におけるそれぞれの要件１０１の重みを示す。従って、算出部３０により、このような計算が行われることにより、各要件１０１について、階層構造全体における重みを容易に把握することが可能となる。
【００４５】
このとき、出力部６０により、各要件１０１の実質的な重みと、その要件１０１を実現するための手段１０２の属性値と、が対応させて出力されることが望ましい。こうすることで、それぞれの要件１０１について、その要件１０１を実現するための属性値（例えばコストや時間）が妥当かを、容易に判断できるようになる。
【００４６】
また、第１編集領域１００において、１つの階層構造に要件１０１と手段１０２を混在できる場合、１つの項目に、誤って要件１０１と手段１０２の両方を従属させてしまう場合がある。従って、支援システム１は、階層構造にこのような不適切な従属関係が存在しないか判定する通知部４０を備えることが望ましい。通知部４０により、不適切な従属関係が存在する場合に使用者に通知が行われることで、使用者は、誤りを知ることができるとともに、適切な階層構造が容易に作成できるようになる。
【００４７】
ある計画において、手段１０２同士の間には、相互作用が存在する場合がある。この場合、当該手段の属性ごとに相互作用が設定されることで、実際の系により近い計画を策定できる。しかし、階層構造上で相互作用を視覚化して表示させると煩雑となってしまう。このため、編集部１０は、第１編集領域１００とは別に、図７及び図８に表したような第２編集領域２００を表示可能である。第１編集領域１００で編集された階層構造に対応した第２編集領域２００が表示され、第２編集領域２００で相互作用を設定できることで、手段１０２同士の間の相互作用を視覚的に分かり易く、効率的に設定できる。
【００４８】
図１０は、実施形態に係る支援システムを実現するための支援装置の構成を例示するブロック図である。
支援装置２は、例えば、コンピュータ９０、入力装置９５、及び出力装置９６を備える。コンピュータ９０は、例えば、ＲＯＭ(Read Only Memory)９１、ＲＡＭ(Random Access Memory)９２、ＣＰＵ(Central Processing Unit)９３、および記憶装置ＨＤＤ(Hard Disk Drive)９４を有する。
【００４９】
入力装置９５は、ユーザが支援装置２に対して情報の入力を行うためのものである。入力装置９５は、例えば、マウス、キーボード、及びタッチパネルの少なくともいずれかを含む。
【００５０】
出力装置９６は、支援システム１によって得られる出力結果を、ユーザに対して出力するためのものである。出力装置９６は、ディスプレイ及びプリンタの少なくともいずれかを含む。
【００５１】
ＲＯＭ９１は、支援装置２の動作を制御するプログラムを格納している。ＲＯＭ９１には、コンピュータ９０を、図１に表した、編集部１０、抽出部２０、算出部３０、及び通知部４０として機能させるために必要なプログラムが格納されている。
【００５２】
ＲＡＭ９２は、ＲＯＭ９１に格納されたプログラムが展開される記憶領域として機能する。ＣＰＵ９３は、ＲＯＭ９１に格納された制御プログラムを読み込み、当該制御プログラムに従ってコンピュータ９０の動作を制御する。また、ＣＰＵ９３は、コンピュータ９０の動作によって得られた様々なデータをＲＡＭ９２に展開する。
【００５３】
ＨＤＤ９４は、例えば、コンピュータ９０における処理の過程で生成された情報や処理に必要な情報を記憶する。なお、支援装置２は、ＨＤＤ９４に代えて、ｅＭＭＣ（embedded Multi Media Card）、ＳＳＤ（Solid State Drive）、ＳＳＨＤ（Solid State Hybrid Drive）などを有していても良い。
【００５４】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５５】
１ 支援システム、  ２ 支援装置、  １０ 編集部、  ２０ 抽出部、  ３０ 算出部、  ４０ 通知部、  ５０ 入力部、  ６０ 出力部、  ９０ コンピュータ、  ９５ 入力装置、  ９６ 出力装置、  １００ 第１編集領域、  １０１、１０１ａ〜１０１ｄ 要件、  １０２、１０２ａ〜１０２ｅ 手段、  １０３ 対象、  １０４ 目標、  ２００ 第２編集領域、  ２１０、２２０、２３０、２４０、２５０ 領域、  ２４１、２４２、２４３ 手段、  ２５１、２５２、２５３ 項目、  Ａ１ 属性、  Ａ２ 属性値、  Ｂ 重み、  Ｃ１、Ｃ２、Ｃ３、Ｃ９ 採用情報、  Ｄ１ 目標属性、  Ｄ２ 目標属性値、  Ｅ１、Ｅ２ マーク
【図１】
2019149019.tif 000003
【図２】
2019149019.tif 000004
【図３】
2019149019.tif 000005
【図４】
2019149019.tif 000006
【図５】
2019149019.tif 000007
【図６】
2019149019.tif 000008
【図７】
2019149019.tif 000009
【図８】
2019149019.tif 000010
【図９】
2019149019.tif 000011
【図１０】
2019149019.tif 000012